(57)【特許請求の範囲】
【請求項１】
ドライブユニットが内蔵されたユニットシャーシと、このユニットシャーシを収納すると共に前記ドライブユニットから導出されたフレキシブルケーブルを遊挿させる貫通孔が設けられたブラケットと、前記フレキシブルケーブルを介して前記ドライブユニットと電気的に接続された回路基板と、これらユニットシャーシとブラケットおよび回路基板を収納している筐体と、この筐体の前面に装着された操作パネルと、前記ユニットシャーシのディスク挿入口と対向する位置にディスク挿入部が設けられた合成樹脂製のディスクガイド部材とを備えたディスク装置において、
前記ディスクガイド部材を前記ブラケットに取り付けると共に、このディスクガイド部材が、前記貫通孔を覆う位置に設けられた遮蔽部と、この遮蔽部に設けられて前記貫通孔に臨出するケーブル挿通孔とを有しており、前記ケーブル挿通孔が前記フレキシブルケーブルの断面形状と略同等な大きさのスリットとして形成されていると共に、前記フレキシブルケーブルが前記貫通孔と前記ケーブル挿通孔を通過して前記回路基板に接続されていることを特徴とするディスク装置。
【請求項２】
請求項１の記載において、前記遮蔽部に前記貫通孔を貫通して前記ブラケットの内部へ突出する突起部が設けてあることを特徴とするディスク装置。
【請求項３】
請求項１または２の記載において、前記遮蔽部の外壁面に前記フレキシブルケーブルの幅寸法と略同等な間隔を存して略平行に延在するケーブル規制壁が設けてあり、前記ケーブル挿通孔を介して前記ブラケットの外部へ引き出された前記フレキシブルケーブルが前記ケーブル規制壁によって幅方向に位置規制されていることを特徴とするディスク装置。
【発明の詳細な説明】
【技術分野】
【０００１】
本発明は、ＣＤやＤＶＤ等のディスクに対して情報の再生および／または記録を行うディスク装置に係り、特に、ドライブユニットを内蔵するユニットシャーシ内への塵埃類の侵入を防止するための防塵構造に関するものである。
【背景技術】
【０００２】
ＣＤやＤＶＤ等のディスクを装填して使用されるディスク装置にあっては、ディスク回転駆動機構や光ピックアップ等を搭載したドライブユニットが箱状のユニットシャーシに内蔵されており、ドライブユニットから導出されたフレキシブルケーブル（以下、ＦＰＣと略称）がユニットシャーシの外部へ引き出されている。また、この種のディスク装置をカーナビゲーション装置等に組み込んで車載用として使用する場合、ユニットシャーシはＦＰＣがコネクタ接続される回路基板等と一緒に筐体内に収納され、この筐体の前面には表示画面等を有する操作パネルが装着されている。そして、操作パネルに設けられたディスク挿入口がユニットシャーシに設けられたディスク挿入口と対向させてあり、これらディスク挿入口を介してドライブユニットへのディスクの挿入や、ドライブユニットからのディスクの排出が行われるようになっている。
【０００３】
ところで、この種のディスク装置が塵埃の多い環境下で長期間使用されると、光ピックアップの対物レンズやディスクの記録面等に塵埃が付着して信号の読み取りエラーを生じたり、ディスク搬送用のローラに塵埃が付着して空転してしまう等の動作不良が起こりやすくなる。そこで従来より、ユニットシャーシを防塵ケースを兼ねたブラケットに収納し、このブラケットを筐体内に組み込むことによって、ユニットシャーシ内へ塵埃が侵入しないように配慮したディスク装置が提案されている（例えば、特許文献１参照）。かかる従来例において、ユニットシャーシはブラケット等の防塵ケースに覆われているが、発熱源となるＩＣ等が実装された回路基板は筐体内で防塵ケースの外部に設置されているため、筐体に形成された多数の開口を介して放熱は支障なく行えるようになっている。また、ドライブユニットと回路基板とを電気的に接続しているＦＰＣがブラケットの貫通孔に遊挿されているため、この貫通孔にはＦＰＣの周囲に空隙が生じてしまうが、かかる従来例では、この空隙にゴムを嵌合させたり該空隙を遮蔽材で覆う等の防塵処理がブラケットに施されている。なお、こうした防塵処理は、ブラケットの貫通孔をＦＰＣがほぼ隙間なく挿通されるように該ＦＰＣの断面形状と略同等な大きさのスリットとして形成しておけば省略できるが、その場合、板金プレス加工によって穿設される貫通孔の周縁のバリがＦＰＣを損傷させる危険性が高まるため、ＦＰＣの導通信頼性は著しく低下してしまう。
【０００４】
また、ディスク挿入口の防塵対策としては、操作パネルに一体化されたディスクガイド部材のディスク挿入部を覆う位置にフェルト等からなる軟質な払拭シートを取り付け、このディスク挿入部をユニットシャーシのディスク挿入口と対向させるという手法が広く採用されている。このディスクガイド部材は、ディスク挿入部を包囲するガイド壁によって挿入排出時のディスクの傾きを是正するという部材である。そして、２枚重ねの払拭シートをディスク挿入部を蓋閉するように取り付け、両シートを押し開きながらディスクの挿入や排出が行われるようにしておくことにより、ディスク挿入口から装置内へ塵埃が侵入する可能性が低くなり、かつ、ディスクに付着している塵埃を払拭シートで取り除くことができる。
【先行技術文献】
【特許文献】
【０００５】
【特許文献１】特開平１０−２０８４６１号公報
【発明の概要】
【発明が解決しようとする課題】
【０００６】
特許文献１に開示された従来例のように、防塵ケースを兼ねたブラケットを介してユニットシャーシが筐体内に組み込まれていると、ユニットシャーシ内のドライブユニットに塵埃の悪影響が及びにくくなるため、ディスク装置の信頼性向上や長寿命化を図りやすくなる。しかしながら、かかる従来例では、ブラケットの貫通孔をＦＰＣ挿通後にゴムや遮蔽材等の補助部材を用いて塞ぐ必要があり、この防塵処理によって部品点数および組立工数が増加してしまうため、コスト面で不利になるという問題があった。また、補助部材を用いた防塵処理を省略するために、この貫通孔をＦＰＣの断面形状と略同等な大きさのスリットとして形成した場合には、前述したように貫通孔のバリによってＦＰＣが損傷しやすくなるため、導通信頼性は著しく低下してしまう。
【０００７】
本発明は、このような従来技術の実情に鑑みてなされたもので、その目的は、ドライブユニットが内蔵されたユニットシャーシの防塵ケースを兼ねているブラケットに対する防塵処理を省略できるディスク装置を提供することにある。
【課題を解決するための手段】
【０００８】
上記の目的を達成するために、本発明は、ドライブユニットが内蔵されたユニットシャーシと、このユニットシャーシを収納すると共に前記ドライブユニットから導出されたフレキシブルケーブルを遊挿させる貫通孔が設けられたブラケットと、前記フレキシブルケーブルを介して前記ドライブユニットと電気的に接続された回路基板と、これらユニットシャーシとブラケットおよび回路基板を収納している筐体と、この筐体の前面に装着された操作パネルと、前記ユニットシャーシのディスク挿入口と対向する位置にディスク挿入部が設けられた合成樹脂製のディスクガイド部材とを備えたディスク装置において、前記ディスクガイド部材を前記ブラケットに取り付けると共に、このディスクガイド部材が、前記貫通孔を覆う位置に設けられた遮蔽部と、この遮蔽部に設けられて前記貫通孔に臨出するケーブル挿通孔とを有しており、前記ケーブル挿通孔が前記フレキシブルケーブルの断面形状と略同等な大きさのスリットとして形成されていると共に、前記フレキシブルケーブルが前記貫通孔と前記ケーブル挿通孔を通過して前記回路基板に接続されているように構成した。
【０００９】
このようにディスク挿入部を有する合成樹脂製のディスクガイド部材に予め遮蔽部とケーブル挿通孔とを設けておき、このディスクガイド部材を防塵ケースを兼ねたブラケットに取り付けることにより、ブラケットの貫通孔が遮蔽部に覆われると共に、ケーブル挿通孔が該貫通孔に臨出するようにしてあると、ドライブユニットから導出されたＦＰＣを貫通孔に遊挿してバリとの干渉を回避しつつ、このＦＰＣをケーブル挿通孔にほとんど隙間なく挿通させてブラケットの外部へ引き出すことができる。また、ブラケットの貫通孔はディスクガイド部材の遮蔽部に覆われるので、防塵用の補助部材を別途用いて貫通孔の空隙を塞ぐ必要はなくなる。
【００１０】
上記の構成において、ディスクガイド部材の遮蔽部にブラケットの貫通孔を貫通して内部へ突出する突起部が設けてあると、ドライブユニットから導出されたＦＰＣがこの突起部を跨ぐようにしてブラケットの貫通孔に遊挿されるため、貫通孔の周縁のバリにＦＰＣが接触することをより確実に防止することができて好ましい。
【００１１】
また、上記の構成において、ディスクガイド部材の遮蔽部の外壁面にフレキシブルケーブルの幅寸法と略同等な間隔を存して略平行に延在するケーブル規制壁が設けてあり、ケーブル挿通孔を介してブラケットの外部へ引き出されたフレキシブルケーブルがこのケーブル規制壁によって幅方向に位置規制されるようにすると、組立時に懸念されるＦＰＣのふらつきを抑制することができて好ましい。すなわち、組立時にブラケットの外部へ引き出されたＦＰＣは、通常、不安定にふらついてしまうが、このＦＰＣをディスクガイド部材のケーブル規制壁によって幅方向に位置規制しておけば姿勢が安定するため、以後の組立作業を円滑に行うことができる。
【発明の効果】
【００１２】
本発明のディスク装置によれば、ユニットシャーシを収納するブラケットに取り付けた合成樹脂製のディスクガイド部材に遮蔽部とケーブル挿通孔とが設けてあり、ブラケットの貫通孔が遮蔽部に覆われると共に、ケーブル挿通孔が該貫通孔に臨出するようにしてあるため、ドライブユニットから導出されたＦＰＣを貫通孔に遊挿してバリとの干渉を回避しつつ、このＦＰＣをケーブル挿通孔にほとんど隙間なく挿通させてブラケットの外部へ引き出すことができる。したがって、防塵用の補助部材を別途用いてブラケットの貫通孔の空隙を塞ぐ必要がなくなり、このブラケットに対する防塵処理を省略できることからコストダウンが図れる。また、ディスクガイド部材は合成樹脂製なので、ケーブル挿通孔をＦＰＣの断面形状と略同等な大きさのスリット状に形成することは容易であり、それゆえケーブル挿通孔とＦＰＣとの間の隙間から塵埃が侵入する可能性もほぼ排除できる。
【図面の簡単な説明】
【００１３】
【図１】本発明の実施形態例に係るディスク装置の外観を示す斜視図である。
【図２】該ディスク装置の防塵構造を説明するための断面図である。
【図３】該ディスク装置の要部の分解斜視図である。
【図４】該ディスク装置に備えられるディスクガイド部材の要部上面図である。
【図５】該ディスクガイド部材の要部下面図である。
【発明を実施するための形態】
【００１４】
以下、本発明の実施形態例について図１〜図５を参照しつつ説明する。本実施形態例に係るディスク装置は、例えばカーナビゲーション装置に組み込まれて使用される車載用のディスク装置であり、図１に示すような外観形状を呈している。このディスク装置は、ドライブユニット１（図３参照）が内蔵されたユニットシャーシ２と、ユニットシャーシ２を収納しているブラケット３と、ドライブユニット１から直接または図示せぬユニット基板を介して導出されたＦＰＣ（フレキシブルケーブル）８がコネクタ接続される回路基板４と、これらのユニットシャーシ２やブラケット３および回路基板４等を収納している筐体５（図１参照）と、筐体５の前面に装着された操作パネル６と、ブラケット３の前部に取り付けられたディスクガイド部材７とによって主に構成されている。なお、このディスク装置は車室内のダッシュボード等の所定位置に設置されて使用されるが、その際、車室内には操作パネル６のみが露出し、筐体５はダッシュボード等の所定位置に埋設されるようになっている。
【００１５】
筐体５は、下部シャーシ１０と上部シャーシ１１とカバー１２と前面シャーシ１３と背面シャーシ（図示せず）とを組み合わせて箱状に形成されている。また、ユニットシャーシ２はブラケット３とカバー１２とで覆われており、これらブラケット３とカバー１２によって外部からの塵埃の侵入を防止する防塵ケースが構成されている。一方、発熱源となるＩＣ等が実装された回路基板４は筐体５内で防塵ケースの外部（ブラケット３の下方）に設置されており、筐体５には多数の開口が形成されているため、これら開口を介して回路基板４からの発熱を外部に支障なく放熱できるようになっている。なお、図３に示すように、本実施形態例ではドライブユニット１から２枚のＦＰＣ８が導出されているため、筐体５内に設置された複数枚の回路基板４の１つに一方のＦＰＣ８がコネクタ接続され、別の回路基板４に他方のＦＰＣ８がコネクタ接続されている。
【００１６】
ドライブユニット１には、ディスク回転駆動機構や光ピックアップやディスク搬送機構等が搭載されている。このドライブユニット１にディスクが装填されると、ディスク回転駆動機構のターンテーブルとクランプ部材とにクランプされたディスクが回転駆動され、このディスクに記録されている情報が光ピックアップによって読み取られるようになっている。また、ドライブユニット１を内蔵しているユニットシャーシ２の前部には横長形状のディスク挿入口２ａが開設されている。
【００１７】
ブラケット３は金属板をプレス加工して製造されたものである。このブラケット３の底板３ａの前部には貫通孔３ｂ（図２参照）が穿設されており、ドライブユニット１から導出されたＦＰＣ８はこの貫通孔３ｂを遊挿してブラケット３の外部へ引き出される。図２では１つの貫通孔３ｂが示されているが、前述したように本実施形態例では２枚のＦＰＣ８を使用しているため、ブラケット３には図示せぬもう１つの貫通孔が穿設されている。また、ブラケット３の前板３ｃの上部には切欠き部３ｄが設けられており、この切欠き部３ｄはユニットシャーシ２のディスク挿入口２ａと対向している。
【００１８】
ディスクガイド部材７は合成樹脂からなる成形品であり、ガイド壁７ａに包囲された横長形状のディスク挿入部７ｂを有している。このディスクガイド部材７は防塵ケースであるブラケット３とカバー１２の前部に嵌着されており、ディスク挿入部７ｂがユニットシャーシ２のディスク挿入口２ａと対向している。ディスクガイド部材７の底板には、ブラケット３の貫通孔３ｂを下方から覆う遮蔽部７ｃと、この遮蔽部７ｃを横切るスリット状に形成されて貫通孔３ｂに臨出するケーブル挿通孔７ｄと、遮蔽部７ｃの上面に突堤状に形成されて貫通孔３ｂを貫通する突起部７ｅと、遮蔽部７ｃの下面の左右両端に突堤状に形成されたケーブル規制壁７ｆ（図５参照）とが設けられている。なお、本実施形態例では２枚のＦＰＣ８を使用しているため、図示していないが、遮蔽部７ｃやケーブル挿通孔７ｄ、突起部７ｅ、ケーブル規制壁７ｆ等は対応するＦＰＣ８ごとに設けられている。
【００１９】
遮蔽部７ｃは、ケーブル挿通孔７ｄと突起部７ｅ間の領域を若干下げた段丘状に形成されており、その段落ち部に沿ってケーブル挿通孔７ｄが延びている（図２参照）。ケーブル挿通孔７ｄは対応するＦＰＣ８の断面形状と略同等な大きさのスリットとして形成されており、ドライブユニット１から導出されて貫通孔３ｂに遊挿されたＦＰＣ８がケーブル挿通孔７ｄを通過してブラケット３の外部へ引き出されている。このケーブル挿通孔７ｄは遮蔽部７ｃの段落ち部に臨出しているため、ブラケット３の貫通孔３ｂ側からＦＰＣ８をケーブル挿通孔７ｄへ挿通させることは容易である。また、図２と図４に示すように、突起部７ｅはケーブル挿通孔７ｄと略平行に延在し、貫通孔３ｂの後端縁とほぼ密着した状態でブラケット３の内部へ突出しているため、ドライブユニット１から導出されたＦＰＣ８はこの突起部７ｅを跨ぐようにして貫通孔３ｂ内へ遊挿されている。ケーブル規制壁７ｆはケーブル挿通孔７ｄに対して略直角に延在しており、対をなすケーブル規制壁７ｆどうしの間隔を対応するＦＰＣ８の幅寸法と略同等に設定しているため、組立時にケーブル挿通孔７ｄに挿通してブラケット３の外部へ引き出したＦＰＣ８がこれら一対のケーブル規制壁７ｆによって幅方向に位置規制されるようになっている。
【００２０】
操作パネル６には、液晶ディスプレイ等の表示画面６ａや各種の操作ノブ６ｂが配設されている。また、操作パネル６の上部には、フェルト等からなる軟質な払拭シート９（図２参照）が取り付けられたディスク挿入口６ｃが形成されており、このディスク挿入口６ｃがディスクガイド部材７のディスク挿入部７ｂを介してユニットシャーシ２のディスク挿入口２ａと対向している。ＣＤやＤＶＤ等のディスクは、これらのディスク挿入口６ｃ，２ａおよびディスク挿入部７ｂを介してドライブユニット１に挿入され、かつドライブユニット１から排出される。また、２枚重ねの払拭シート９がディスク挿入口６ｃを蓋閉するように取り付けてあり、これら両シート９を押し開きながらディスクの挿入や排出が行われるようにしてあるため、このディスク装置はディスク挿入口６ｃから装置内へ塵埃が侵入する可能性が低く、かつ、ディスクに付着している塵埃を払拭シート９で取り除くことができる。
【００２１】
このように本実施形態例に係るディスク装置では、ディスク挿入部７ｂを有するディスクガイド部材７に遮蔽部７ｃとケーブル挿通孔７ｄとが設けてあり、このディスクガイド部材７を防塵ケースであるブラケット３とカバー１２の前部に取り付けることによって、ブラケット３の貫通孔３ｂが遮蔽部７ｃに覆われると共に、ケーブル挿通孔７ｄが貫通孔３ｂに臨出するようにしてある。そのため、ドライブユニット１から導出されたＦＰＣ８を貫通孔３ｂに遊挿してバリとの干渉を回避しつつ、このＦＰＣ８をケーブル挿通孔７ｄにほとんど隙間なく挿通させてブラケット３の外部へ引き出すことができる。したがって、筐体５内で防塵ケースの外部に設置されている回路基板４までＦＰＣ８を無理なく引き出すことができる。また、防塵ケースであるブラケット３とカバー１２の内部空間は切欠き部３ｄと貫通孔３ｂを除いてすべて金属板で覆われており、かつ、切欠き部３ｄが臨出するディスク挿入部７ｂの前方に払拭シート９が配置されていると共に、貫通孔３ｂが遮蔽部７ｃで覆われているため、ユニットシャーシ２内のドライブユニット１が塵埃の悪影響を受けにくい防塵構造となっている。しかも、遮蔽部７ｃ等で構成される防塵手段はディスクガイド部材７に設けられており、わざわざ防塵用の補助部材を別途用いて貫通孔３ｂの空隙を塞ぐ必要がないため、ブラケット３に対する防塵処理を省略できてコスト面で有利である。また、ディスクガイド部材７は合成樹脂製なので、ケーブル挿通孔７ｄをＦＰＣ８の断面形状と略同等な大きさのスリット状に形成することは容易であり、それゆえケーブル挿通孔７ｄとＦＰＣ８との間の隙間から塵埃が侵入する可能性もほぼ排除できる。
【００２２】
また、本実施形態例に係るディスク装置では、ディスクガイド部材７の遮蔽部７ｃの上面に貫通孔３ｂを貫通してブラケット３の内部へ突出する突起部７ｅが設けてあり、ドライブユニット１から導出されたＦＰＣ８がこの突起部７ｅを跨ぐようにして貫通孔３ｂ内へ遊挿されている。そのため、ＦＰＣ８が貫通孔３ｂの周縁のバリに接触する可能性はなくなり、バリに起因するＦＰＣ８の損傷を確実に回避することができる。
【００２３】
また、本実施形態例に係るディスク装置では、ディスクガイド部材７の遮蔽部７ｃの下面（外壁面）にＦＰＣ８の幅寸法と略同等な間隔を存して略平行に延在するケーブル規制壁７ｆが設けてあり、ケーブル挿通孔７ｄを介してブラケット３の外部へ引き出されたＦＰＣ８がこれらケーブル規制壁７ｆによって幅方向に位置規制されるようにしているため、組立時に懸念されるＦＰＣ８のふらつきを抑制することができる。すなわち、ディスク装置の組立時にブラケット３の外部へ引き出されたＦＰＣ８は、通常、不安定にふらついてしまうが、このＦＰＣ８をディスクガイド部材７のケーブル規制壁７ｆによって幅方向に位置規制しておけば、ブラケット３の外部へ引き出されたＦＰＣ８の姿勢が安定するため、コネクタ接続等を含む以後の組立作業が円滑に行いやすくなり、作業性の向上が期待できる。
【００２４】
なお、上記実施形態例では、ＦＰＣ８を遊挿して外部へ引き出すための貫通孔３ｂがブラケット３の底板３ａに穿設されているため、防塵用の遮蔽部７ｃやケーブル挿通孔７ｄ等をディスクガイド部材７の底板に設けているが、貫通孔３ｂがブラケット３の側板に穿設されていてもよく、その場合は、遮蔽部７ｃやケーブル挿通孔７ｄ等もディスクガイド部材７の側板に設ければよい。
【００２５】
また、上記実施形態例では、ＦＰＣ８を２枚使用したディスク装置について説明したが、ドライブユニットから導出されるＦＰＣが１数だけの場合や３枚以上の場合も、本発明を適用できることは言うまでもない。また、ＦＰＣ８はフレキシブルプリント基板に限らず、ＦＰＣと称せられるフレキシブルフラットケーブルであってもよい。さらに、車載用でなくても塵埃の多い環境下で使用されるディスク装置であれば、本発明を適用することによって上記実施形態例とほぼ同様の効果が得られる。
【符号の説明】
【００２６】
１  ドライブユニット
２  ユニットシャーシ
２ａ，６ｃ  ディスク挿入口
３  ブラケット（防塵ケース）
３ｂ  貫通孔
４  回路基板
５  筐体
６  操作パネル
７  ディスクガイド部材
７ｂ  ディスク挿入部
７ｃ  遮蔽部
７ｄ  ケーブル挿通孔
７ｅ  突起部
７ｆ  ケーブル規制壁
８  ＦＰＣ（フレキシブルケーブル）
９  払拭シート
１２  カバー（防塵ケース）
【図１】
0005624827.tif 000002
【図２】
0005624827.tif 000003
【図３】
0005624827.tif 000004
【図４】
0005624827.tif 000005
【図５】
0005624827.tif 000006